(57)【要約】【課題】投影型表示装置において、解像度の高い画像を表示可能にし、且つ、製造コストを低くする。【解決手段】投影型表示装置１は、制御回路の制御に基づき、光源から入射された光線を２軸型の偏向器により偏向させて、投影面上に水平方向及び垂直方向にそれぞれ第１走査周波数ｆＨ、第２走査周波数ｆＶで２次元的に走査する。各走査周波数は、ｆＨがｆＶの倍数ではなく、且つ、２×ｆＨがｆＶの倍数となるように設定されており、垂直方向に一往復走査するとき光線の走査経路が重ならないように構成されている。光線は、垂直方向に一往復走査する間に１つの表示フレームの画像データを表示するように、且つ、光線の走査方向に応じて行毎に走査部分のデータに対応するように光源から変調される。これにより、実効的な走査線の数を増加させて画像を表示することができる。【選択図】図３
2010008614.tif 000002
【特許請求の範囲】
【請求項１】
光線を偏向させる２軸の偏向器を２軸それぞれについて所定の走査周波数で駆動し、２次元的に光線を走査する投影型表示装置であって、
前記２軸それぞれについての走査周波数は、走査周波数が高い方の軸についての走査周波数をｆＨとし走査周波数が低い方の軸についての走査周波数をｆＶとしたとき、ｆＨはｆＶの倍数ではなく、かつ、Ｎを２以上の自然数として、Ｎ×ｆＨがｆＶの倍数となるように設定されており、
投影する画像に対応する画像データを、前記Ｎの値に対応する所定の手順で読み出し、前記偏向器により偏向させる光線の強度を変調することにより、前記画像データに対応する画像を投影表示可能に構成されていることを特徴とする投影型表示装置。
【請求項２】
前記偏向器は、それぞれ前記２軸のうちの１軸について揺動し、それぞれ入射する光線を直線的に往復運動走査する第１ミラー装置及び第２ミラー装置を有し、前記第２ミラー装置は、前記第１ミラー装置により走査された光線が入射されその第１ミラー装置の走査方向とは略直交する方向に走査するように配置されていることを特徴とする請求項１記載の投影型表示装置。
【請求項３】
前記偏向器は、光線が走査される方向から見て２軸それぞれについての回転中心が交差するように構成されている２軸ジンバル型のミラー装置を用いて構成されていることを特徴とする請求項１記載の投影型表示装置。
【請求項４】
前記偏向器は、２軸のうち少なくともいずれか一方の軸について、共振現象を伴い揺動するように構成された共振型のミラー装置を用いて光線を走査することを特徴とする請求項１乃至請求項３のいずれか一項に記載の投影型表示装置。
【請求項５】
２軸それぞれについて所定の走査周波数で２次元的に光線を走査し画像を投影表示する表示方法であって、
前記２軸それぞれについての走査周波数は、走査周波数が高い方の軸についての走査周波数をｆＨとし走査周波数が低い方の軸についての走査周波数をｆＶとしたとき、ｆＨはｆＶの倍数ではなく、且つ、Ｎを２以上の自然数として、Ｎ×ｆＨがｆＶの倍数となるように設定されており、
投影する画像に対応する画像データを前記Ｎの値に応じた所定の手順で読み出して、走査する光線の強度を変調することにより、前記画像データに対応する画像を投影表示することを特徴とする表示方法。
【発明の詳細な説明】
【技術分野】
【０００１】
本発明は、光線を２次元的に走査し、且つ、光線の強度を画像信号によって変調して残像効果により投影面上に画像を表示する投影型表示装置及びそれに用いられる表示方法に関する。
【背景技術】
【０００２】
投影型表示装置としては、画像信号によって強度を変調した光線を、投影面上に、走査方向がほぼ直交するように２次元的に走査して画像を表示するものが知られている（例えば、特許文献１参照）。このような投影型表示装置において、一般に、２次元走査ミラーの２軸の走査周波数の比を大きくすることができれば、それだけ高解像度の表示を行うことができる。しかしながら、偏向器の構造上又は製造コスト上の制約等から一方の軸の走査周波数を高くするには限界があり、必要なフレームレートを確保する必要もあるため他方の軸の走査周波数を低くすることもできない場合がある。そのため、走査周波数の比を大きくするには限界があり、走査周波数の比を大きくすることだけでは、高解像度化の要請に応えることができないことがある。
【０００３】
ここで、特許文献１には、投影型表示装置において、走査線内の画素単位および画面内の走査線単位で画像情報を並べ替えて、周波数が高い方の走査の往路期間と復路期間とで走査線内の画素単位で画像情報の順序を反転し、また周波数が低い方の往路期間と復路期間とで画面内の走査線単位で画像情報の順序を反転し、往復走査の往路と復路の双方で表示を行うことが開示されている。図９（ａ）乃至（ｃ）は、このような投影型表示装置の光線の走査例を簡略化して示す。この投影型表示装置では、走査周波数が高い水平方向の走査の周波数は走査周波数が低い垂直方向の走査の周波数の倍数となる。簡単のため、水平方向の走査の周波数と垂直方向の走査の周波数の比を例えば８とし、水平走査及び垂直走査が往復運動の折り返し点を除いて等速運動であるとすると、走査される光線の軌跡は図に示すように描かれる。すなわち、図９（ａ）に示すように、垂直方向の上から下への走査の間には、水平走査は４往復し、計８本の走査線が描かれる。また、図９（ｂ）に示すように、垂直方向の下から上への走査の間にも、水平走査は４往復し、同様に計８本の走査線が描かれる。図９（ｃ）に示すように、これらの垂直方向の走査線の位置は、垂直走査と水平走査の同期が取れていれば、全く同一となり、走査線の数は、走査周波数の比と一致する。すなわち、投影面に表示される画像は、光線の変調周波数と走査線の数から決まる解像度をもつことになる。このように、特許文献１に開示されている投影型表示装置は、周波数が高い水平方向の往復走査の往路と復路の双方で表示を行うことにより、表示可能な走査線数を、片路だけで表示を行う場合と比べて２倍にすることができる。しかしながら、このような投影型表示装置では、周波数が低い垂直方向の往路と復路では走査線が重なるので、表示画像をそれ以上高解像度化することはできない。
【０００４】
また、特許文献２には、表示装置において、２次元走査ミラーによる光走査領域をＸ、Ｙ方向に連続する格子状に分割し、この分割された各格子状ブロックを光出力の目標位置とし、２次元走査による光線の走査軌跡が目標位置に入ったことを検出して、その目標位置にて光出力のタイミングを制御することが開示されている。特許文献２に記載の構成によれば、２次元走査ミラーの２軸の走査周波数の比が大きくなくても、元の画像に忠実な解像度の高い画像を表示することができる。しかしながら、特許文献２に記載の構成では、光走査位置を正確に検出するために、高速で精度が高いセンサを用いることが必要であり、２次元走査ミラーの構造が複雑になり、また、製造コストが高くなるという問題がある。また、光走査位置を検出し、それに応じて所定の光出力信号を出力するためには、制御回路を非常に高速にする必要があるため、製造コストが高くなる。
【特許文献１】特開２００２−３４４７６５号公報
【特許文献２】特開２００４−２９０９４号公報
【発明の開示】
【発明が解決しようとする課題】
【０００５】
本発明は、上記問題点を鑑みてなされたものであり、実効的な走査線の数を増やすことができ、解像度の高い画像を表示可能で、且つ、製造コストが低い投影型表示装置及びそれに用いられる表示方法を提供することを目的とする。
【課題を解決するための手段】
【０００６】
上記目的を達成するため、請求項１の発明は、光線を偏向させる２軸の偏向器を２軸それぞれについて所定の走査周波数で駆動し、２次元的に光線を走査する投影型表示装置であって、前記２軸それぞれについての走査周波数は、走査周波数が高い方の軸についての走査周波数をｆＨとし走査周波数が低い方の軸についての走査周波数をｆＶとしたとき、ｆＨはｆＶの倍数ではなく、かつ、Ｎを２以上の自然数として、Ｎ×ｆＨがｆＶの倍数となるように設定されており、投影する画像に対応する画像データを、前記Ｎの値に対応する所定の手順で読み出し、前記偏向器により偏向させる光線の強度を変調することにより、前記画像データに対応する画像を投影表示可能に構成されているものである。
【０００７】
請求項２の発明は、請求項１の発明において、前記偏向器は、それぞれ前記２軸のうちの１軸について揺動し、それぞれ入射する光線を直線的に往復運動走査する第１ミラー装置及び第２ミラー装置を有し、前記第２ミラー装置は、前記第１ミラー装置により走査された光線が入射されその第１ミラー装置の走査方向とは略直交する方向に走査するように配置されているものである。
【０００８】
請求項３の発明は、請求項１の発明において、前記偏向器は、光線が走査される方向から見て２軸それぞれについての回転中心が交差するように構成されている２軸ジンバル型のミラー装置を用いて構成されているものである。
【０００９】
請求項４の発明は、請求項１乃至請求項３のいずれか一項の発明において、前記偏向器は、２軸のうち少なくともいずれか一方の軸について、共振現象を伴い揺動するように構成された共振型のミラー装置を用いて光線を走査するものである。
【００１０】
請求項５の発明は、２軸それぞれについて所定の走査周波数で２次元的に光線を走査し画像を投影表示する表示方法であって、前記２軸それぞれについての走査周波数は、走査周波数が高い方の軸についての走査周波数をｆＨとし走査周波数が低い方の軸についての走査周波数をｆＶとしたとき、ｆＨはｆＶの倍数ではなく、且つ、Ｎを２以上の自然数として、Ｎ×ｆＨがｆＶの倍数となるように設定されており、投影する画像に対応する画像データを前記Ｎの値に応じた所定の手順で読み出して、走査する光線の強度を変調することにより、前記画像データに対応する画像を投影表示するものである。
【発明の効果】
【００１１】
請求項１の発明によれば、走査周波数が低い方の軸についての走査方向にＮ／２往復走査する毎に１画面（１フレーム）分の表示を行うことにより、実効的に走査線の数をＮ倍にすることができる。従って、２軸それぞれについての走査周波数の比が大きくない偏向器を用いた場合でも、従来と比較して解像度の高い画像を表示可能であり、且つ、製造コストを低減することができる。また、光線を略水平に走査するラスタ走査に近い方法で画像を表示させることができるため、走査位置を検出しフィードバックする等の高度な制御は不要である。さらにまた、表示したい画像から光線の強度を変調する信号を生成することも容易であり、走査周波数が基準値からずれていても、走査線の数を調整した変調信号を出力するだけで、容易に適正な画像表示を行うことができる。
【００１２】
請求項２の発明によれば、１軸型のミラー装置を組み合わせて２軸の偏向器を容易に構成することができ、製造コストをさらに低減することができる。また、偏向器の大きさや形状、及びそれぞれのミラー装置による走査角の大きさ等を、用いる光線の種類や必要な走査範囲に応じて比較的自由に設定することができるので、種々の用途に応じて、投影型表示装置を容易に製造することができる。
【００１３】
請求項３の発明によれば、２軸ジンバル型のミラー装置を用いるので、１軸型のミラー装置を２つ組み合わせて用いる場合と比較して、偏向器を小型化することができ、投影型表示装置を小型化することができる。
【００１４】
請求項４の発明によれば、共振現象を伴い大きな揺動角でミラーを揺動させて光線を走査させることができるので、走査範囲を拡大させることができ、画像をより大きく表示させることができる。
【００１５】
請求項５の発明によれば、上述と同様に、実効的に走査線の数をＮ倍にすることができるので、２軸それぞれについての走査周波数の比が大きくない偏向器を用いた場合でも、従来と比較して解像度の高い画像を表示可能であり、且つ、製造コストを低減することができる。また、走査位置を検出しフィードバックする等の高度な制御は不要であり、走査周波数が基準値からずれていても、走査線の数を調整した変調信号を出力するだけで、容易に適正な画像表示を行うことができる。
【発明を実施するための最良の形態】
【００１６】
（第１実施形態）
以下、本発明の第１実施形態について図面を参照して説明する。図１は、第１実施形態に係る投影型表示装置（以下、表示装置と称する）の一例を示すブロック構成図である。表示装置１は、入射された光線を偏向させて反射する偏向器１０と、例えばレーザダイオードを用いた光源２と、光源２を駆動し光線を出射させる光源ドライバ３と、偏向器１０を駆動する駆動回路部４と、光源ドライバ３及び駆動回路部４等を制御する制御回路５等で構成されている。偏向器１０は、後述するように、光源２から出射された光線を２次元的に走査可能に構成されたいわゆる２軸型のものである。表示装置１は、制御回路５による制御の下、例えば外部のパーソナルコンピュータ１００等から制御回路５に入力される画像データに基づいて、外部の投影面１０１に画像を投影表示する。なお、表示装置１は、パーソナルコンピュータ１００に限られず、種々の映像出力機器から入力される画像データに基づき投影表示可能に構成されている。
【００１７】
光源２は、光源ドライバ３により駆動され、偏向器１０に向け光線を出射するように配置されている。光源ドライバ３は、制御回路５から送信された映像変調信号に対応する強度で光源２を駆動する。映像変調信号は、後述するように、制御回路５により、偏向器１０の駆動に対応するように送信される。
【００１８】
偏向器１０は、それぞれ１軸について揺動し、それぞれ入射する光線を直線的に往復運動走査する第１ミラー装置１１及び第２ミラー装置１２を有し、２軸について光線を走査可能に構成されている。本実施形態では、１軸型の第１ミラー装置１１及び第２ミラー装置１２を組み合わせることにより、２軸の偏向器１０を容易に構成することができ、製造コストを低減することができる。また、偏向器１０の大きさや形状、及び走査角の大きさ等を、用いる光線の種類や必要な走査範囲に応じて比較的自由に設定することができるので、種々の用途に応じて、表示装置１を容易に製造することができる。
【００１９】
図２は、第１ミラー装置１１を示す。第１ミラー装置１１は、酸化物である絶縁層１１０ａをボックス層とするＳＯＩ（Silicon On Insulator）基板１１０をいわゆるマイクロマシニング技術により加工して作製されたＭＥＭＳ（Micro Electro Mechanical System）素子である。第１ミラー装置１１は、金属膜であって入射した光線を反射するミラー部１１１と、ミラー部１１１が上面に設けられた例えば矩形形状の可動板１１２と、可動板１１２の両側部に、梁状で一列に並ぶように形成された２つのねじりばね１１３と、可動板１１２の周囲を囲むように配されねじりばね１１３の端部を支持する固定部１１４とを有している。可動板１１２は、ねじりばね１１３を介して、固定部１１４に対し、ねじりばね１１３をねじりながら揺動可能に支持されている。可動板１１２のうち、ねじりばね１１３が接続されていない自由端側の側縁部と、固定部１１４のうち当該側縁に対向する部分には、互いに噛み合うような櫛歯電極１１５が形成されている。櫛歯電極１１５のうち可動板１１２側の電極と固定部１１４側の電極との間に周期的に電圧が印加されると、両電極間に静電引力が発生し、この静電引力が可動板１１２の側端部に略垂直に作用する。すなわち、第１ミラー装置１１は、櫛歯電極１１５に駆動電圧が印加されて可動板１１２に発生するねじりばね１１３まわりの静電トルクにより駆動され、可動板１１２は、ねじりばね１１３を回動軸として揺動する。第１ミラー装置１１は、後述のように所定の第１走査周波数で可動板１１２を揺動させるように構成されている。
【００２０】
第２ミラー装置１２は、例えば、反射ミラー（図示せず）を、ＭＥＭＳ素子ではない、小型モータやその他小型アクチュエータ等を動力源として周期的に揺動させるものである。本実施形態において、第２ミラー装置１２は、例えば、小型モータの回転運動を往復運動に変換し反射ミラーの揺動軸に伝達する伝達機構を有している。第２ミラー装置１２は、例えば、所定の駆動電圧が小型モータに継続して印加されている間、所定の周波数（第２走査周波数）で、反射ミラーを揺動させるように構成されている。なお、第２ミラー装置１２として、上記の第１ミラー装置１１のようなＭＥＭＳ素子型のものを用いてもよいし、第１ミラー装置１１として、第２ミラー装置１２のようなＭＥＭＳ素子ではないものを用いてもよい。
【００２１】
第１ミラー装置１１のミラー部１１１には、光源２から出射された光線が入射する。ミラー部１１１により反射され第１ミラー装置１１により走査された光線は、第２ミラー装置１２の反射ミラーに入射し、投影面１０１に向けて反射される。本実施形態において、第２ミラー装置１２は、第１ミラー装置１１による光線の走査方向とは直交する方向に光線を走査するように配置されている。本実施形態において、第１ミラー装置１１による走査方向は投影面１０１上において水平方向に対応し、第２ミラー装置１２による走査方向は、投影面１０１上において垂直方向に対応している。投影面１０１には、光源２から出射された光線が、第１ミラー装置１１及び第２ミラー装置１２により、２軸について、すなわち、水平方向、垂直方向に２次元的に走査される。
【００２２】
駆動回路部４は、第１ミラー装置１１を駆動する水平ミラー駆動回路４１と、第２ミラー装置１２を駆動する垂直ミラー駆動回路４２を有している。水平ミラー駆動回路４１は、制御回路５から送信される第１駆動信号に基づき、第１ミラー装置１１にそれを揺動駆動するための駆動電圧を印加し、第１ミラー装置１１を駆動する。また、垂直ミラー駆動回路４２は、制御回路５から送信される第２駆動信号に基づき、第２ミラー装置１２にそれを揺動駆動するための駆動電圧を印加し、第２ミラー装置１２を駆動する。第２ミラー装置１２は、上述のように垂直ミラー駆動回路４２から駆動電圧が印加されることにより、第２走査周波数で揺動駆動される。
【００２３】
本実施形態において、制御回路５は、第１ミラー装置１１の可動板１１２が共振現象を伴い揺動するように制御を行う。制御回路５は、第１走査周波数が第１ミラー装置１１のミラー部１１１及び可動板１１２とねじりばね１１３により構成される振動系の共振周波数となるように、その共振周波数の略２倍の周波数の第１駆動信号を送信する。水平ミラー駆動回路４１は、この第１駆動信号に基づき、第１走査周波数の略２倍の周波数の矩形波状の駆動電圧を第１ミラー装置１１に印加する。これにより、第１ミラー装置１１は、共振現象を伴って第１走査周波数で駆動され、その揺動角が大きくなるように構成されている。揺動角が大きくなると、表示装置１により投影する画像の画角を大きく確保することができ、画像をより大きく表示させることができる。なお、駆動電圧の印加態様や駆動周波数は、上述に限られるものではなく、また、例えば、駆動電圧が正弦波形で印加されるように構成されていてもよい。
【００２４】
制御回路５は、上述のように駆動回路部４に駆動信号を送信し偏向器１０を駆動させるのに伴い、光源ドライバ３に映像変調信号を送信し、光源２から偏向器１０に光線を変調させながら照射させる。映像変調信号は、駆動信号を送出するタイミングすなわち偏光器１０の駆動タイミングに合わせて送出され、駆動信号と映像変調信号は、互いに同期されている。映像変調信号は、パーソナルコンピュータ１００から制御回路５に入力された画像データに基づいて生成される。光源２から照射される光線は、映像変調信号に応じて強度が変調され、駆動信号に応じて偏向器１０により投影面１０１上に走査される。光線の強度を変調しながら偏光器１０による走査を繰り返すと、投影面１０１上に、目の残像効果又は投影面１０１の蛍光現象によってユーザが認識可能な画像が表示されることになる。
【００２５】
ここで、本実施形態において、第１走査周波数は第２走査周波数よりも高く設定されており、これら２軸それぞれについての走査周波数は、互いに所定の関係を有するように設定されている。以下、走査周波数が高い方の軸についての走査周波数、すなわち第１ミラー装置１１の第１走査周波数をｆＨとし、走査周波数が低い方の軸についての走査周波数、すなわち第２ミラー装置１２の第２走査周波数をｆＶとする。本実施形態において、第１走査周波数ｆＨは第２走査周波数ｆＶの倍数ではなく、かつ、２×ｆＨが第２走査周波数ｆＶの倍数となるように設定されている。制御回路５は、第１ミラー装置１１及び第２ミラー装置１２を、このように設定された第１走査周波数及び第２走査周波数でそれぞれ駆動し、後述の走査経路を経由するように光線を走査させる。また、制御回路５は、投影する画像データを所定の手順で読み出して映像変調信号を生成し、この場合すなわち２×ｆＨがｆＶの倍数である場合に対応する所定の変調手順で走査する光線を変調させる。以下に、表示装置１による光線の走査動作について説明する。
【００２６】
先ず、光線の走査経路について説明する。図３（ａ）乃至（ｆ）及び図４は、光線の走査経路（走査線）を示す。説明の簡単のため、水平走査と垂直走査の走査周波数比を３．５とし、表示画像の左上端部を始点として、光線が、表示画像の上から下へ、水平走査されながら垂直走査されるとする。まず、光線が上から下へ垂直走査される際には、光線は、図３（ａ）に示すように、下方に走査位置が変位しながら、左から右（１本目の走査線）、右から左（２本目の走査線）、左から右（３本目の走査線）と変位する。その後、光線の走査位置は、右から左に向け走査される途中の左右中央あたりで、走査範囲すなわち表示画像の下端に到達する。すなわち、上から下への垂直走査時においては、３．５本の走査線が、走査される光線により表示されることになる。次に、図３（ｂ）に示すように、光線が下から上へ垂直走査される際には、光線は、上から下への垂直操作時に走査範囲の下端となった左右中央部から上方に走査位置が変位しながら、中央部から左に向けて走査される。このとき、上から下への垂直走査時に半分だけ走査した部分を含め、４本目の走査線が走査されることになる。その後、光線は、左から右（５本目の走査線）、右から左（６本目の走査線）、左から右（７本目の走査線）と変位し、表示画像の右上端部に到達する。これにより、下から上への垂直操作時においても、３．５本の走査線が、走査される光線により表示されることになる。すなわち、本実施形態においては、図３（ｃ）に示すように、垂直走査が上下一往復なされる間に、合計７本の走査線が、互いに重なることなく表示されることになる。
【００２７】
上記のように、光線が表示画像の左上端部から垂直方向に上下一往復走査された後には、図３（ｄ）に示すように、光線は、表示画像の右上端部から下方左向きに走査され（１本目の走査線）、左から右（２本目の走査線）、右から左（３本目の走査線）と走査される。その後、左から右に向け走査される途中の走査範囲の左右中央部で、走査範囲の下端に到達する。その後、図３（ｅ）に示すように、光線が下から上へ垂直走査され、光線は、上から下への垂直操作時に走査範囲の下端となった左右中央部から上方に走査位置が変位しながら、中央部から右に向けて走査（４本目の走査線）される。そして、光線は、右から左（５本目の走査線）、左から右（６本目の走査線）、右から左（７本目の走査線）と走査され、表示画像の左上端部に到達する。このように、上から下への垂直走査時においては、３．５本の走査線が、走査される光線により表示されることになる。下から上への垂直操作時においても、３．５本の走査線が、走査される光線により表示されることになる。このように、２×ｆＨが第２走査周波数ｆＶの倍数となるように設定されている場合には、垂直走査を上下に２往復する間に、７本の走査線で構成される表示フレームを２つ表示させ、光線が元の位置に戻ることになる。
【００２８】
次に、光線の変調手順について説明する。本実施形態では、垂直走査が上下一往復なされる間の合計７本の走査線数で１つの画像を示す１つの表示フレームを構成することにより、第１走査周波数と第２走査周波数の比を３．５としたときに決まる走査線の数（３．５本）より大きい、当該走査線の数の２倍の本数の走査線を表示することができ、従来と比較し垂直方向で２倍の解像度に相当する画像を表示することができる。以下の説明では、上述のように２×ｆＨが第２走査周波数ｆＶの倍数となるように設定されている場合について、Ｘ×Ｙ（Ｘ＝１，２，…，ＮＨＡとし、Ｙ＝１，２，…，ＮＶＡとする）の画素からなるマトリクス画像データに基づいて画像表示を行う際の変調手順の一例を示す。制御回路５は、偏向器１０の水平走査及び垂直走査と同期を取るように、マトリクス映像データを、光強度を変調するシリアルデータに変換する。シリアルデータへの変換は、以下のように、マトリクス画像データを行の中央で２分割して、相補的に行われる。
【００２９】
図４は、本実施形態における、２つの表示フレーム分に対応する第１走査フレームから第４走査フレームまでの表示順を示す。図４において言う第１走査フレームと第２走査フレームは、それぞれ、図３（ａ）と図３（ｂ）に対応する。また、図４において言う第３走査フレームと第４走査フレームとは、それぞれ、図３（ｃ）と図３（ｄ）に対応する。制御回路５は、一表示フレーム分の画像に対応するマトリクス画像データを行の中央で２分割し、前半のデータを、図４において言う第１走査フレームとして表示するためのシリアルデータに変換する。また、その後半のデータを、図４において言う第２走査フレームとして表示するためのシリアルデータに変換する。また、第３走査フレーム及び第４走査フレームとして表示するため、同じマトリクス画像データを２分割したものについて、上述とは異なる手順でシリアル化を行う。
【００３０】
先ず、第１走査フレームについて走査する際、制御回路５は、マトリクス画像データを、行についてはｊ＝１→ＮＶＡの順すなわち１からＮＶＡに向けた順でシリアル化し、列については下記のような順で、シリアル化する。すなわち、列については、行がｊ＝４ｎ＋１（ｎ＝０，１，２，…）行である場合にはｉ＝１→ＮＨＡ／２の順でシリアル化する。また、列については、行がｊ＝４ｎ＋２行である場合には、ｉ＝ＮＨＡ／２→ＮＨＡの順でシリアル化する。列については、行がｊ＝４ｎ＋３行である場合には、ｉ＝ＮＨＡ→ＮＨＡ／２の順でシリアル化する。また、列については、行がｊ＝４ｎ＋４行である場合には、ｉ＝ＮＨＡ／２→１の順でシリアル化する。
【００３１】
第２走査フレームについて走査する際、制御回路５は、マトリクス画像データを、行についてはｊ＝ＮＶＡ→１の順でシリアル化し、列については下記のような順で、シリアル化する。すなわち、列については、行がｊ＝４ｎ＋３行である場合には、ｉ＝ＮＨＡ／２→１の順でシリアル化する。また、列について、行がｊ＝４ｎ＋２行である場合には、ｉ＝１→ＮＨＡ／２の順でシリアル化する。さらにまた、列について、行がｊ＝４ｎ＋１行である場合には、ｉ＝ＮＨＡ／２→ＮＨＡの順でシリアル化する。また、列について、ｊ＝４ｎ＋４行である場合には、ｉ＝ＮＨＡ→ＮＨＡ／２の順でシリアル化する。
【００３２】
同様に、第３走査フレームについて走査する際、制御回路５は、マトリクス画像データを、行についてはｊ＝１→ＮＶＡの順でシリアル化し、列については下記のような順で、シリアル化する。すなわち、列については、行がｊ＝４ｎ＋１行である場合にはｉ＝ＮＨＡ→ＮＨＡ／２の順でシリアル化する。また、列について、行がｊ＝４ｎ＋２行である場合には、ｉ＝ＮＨＡ／２→１の順でシリアル化する。さらにまた、列については、行がｊ＝４ｎ＋３行である場合には、ｉ＝１→ＮＨＡ／２の順でシリアル化する。また、列については、ｊ＝４ｎ＋４行である場合には、ｉ＝ＮＨＡ／２→ＮＨＡの順でシリアル化する。
【００３３】
また、第４走査フレームについて走査する際、制御回路５は、マトリクス画像データを、行についてはｊ＝ＮＶＡ→１の順でシリアル化し、列については下記のような順で、シリアル化する。すなわち、列については、行がｊ＝４ｎ＋３行である場合には、ｉ＝ＮＨＡ／２→ＮＨＡの順でシリアル化する。また、列について、行がｊ＝４ｎ＋２行である場合には、ｉ＝ＮＨＡ→ＮＨＡ／２の順でシリアル化する。さらにまた、列について、行がｊ＝４ｎ＋１行である場合にはｉ＝ＮＨＡ／２→１の順でシリアル化する。また、列について、ｊ＝４ｎ＋４行である場合には、ｉ＝１→ＮＨＡ／２の順でシリアル化する。
【００３４】
ここで、制御回路５は、２行分のシリアルデータを変換する毎に、１回の水平同期信号を挿入する。また、制御回路５は、各走査フレームについてのシリアルデータを変換する毎に、１回の垂直同期信号を挿入する。制御回路５は、このようにして作成した第１走査フレーム乃至第４走査フレームに対応するシリアルデータを、１セットの変調信号として、制御回路５内のメモリ等に蓄積する。そして、制御回路５は、駆動信号を送信することにより制御する偏向器１０の水平走査および垂直走査に同期するように、メモリ等からこの変調信号を読出し、光源ドライバ３に映像変調信号を出力する。このように映像変調信号を出力することにより、光源２の発光強度が偏向器１０の走査に同期して変化し、画像が投影面１０１上に投影される。なお、上記のようにマトリクス画像データと変調信号のシリアルデータを必ずしも１対１に対応させる必要はなく、例えば、投影画像の内周部に非表示部分を設けたい場合には、元の画像データの周囲に空白データを付け加えた上で、前述のシリアルデータ化処理を実施すればよい。
【００３５】
このように、垂直走査方向に１往復走査する毎に一表示フレーム分の表示を行うことにより、例えば往路方向のみに垂直走査する際に画像を表示する場合と比較して、実効的な走査線の数を２倍に、換言するとみかけの走査線の数を２倍にすることができる。従って、２軸それぞれについての走査周波数の比が大きくない偏向器１０を用いた場合でも、従来と比較して解像度の高い画像を表示可能であり、且つ、偏向器１０を安価に構成可能になるため、製造コストを低減することができる。また、光線を略水平に走査するラスタ走査に近い方法で画像を表示させることができるため、光線の走査と変調とを容易に同期させることができ、走査位置を検出しフィードバックする等の高度な制御は不要である。さらにまた、表示したい画像から、光線の強度を変調する映像変調信号を容易に生成することができ、偏向器１０の走査周波数が基準値から若干ずれたとしても、走査線の数を調整した映像変調信号を出力するだけで、適正な画像表示を容易に行うことができる。
【００３６】
（第２実施形態）
図５は、本発明の第２の実施形態に係る投影型表示装置のブロック構成を示す。第２実施形態の説明において、上述の第１実施形態と同様の構成要素には同一の符号を付し、上述の第１実施形態と相違する部分についてのみ説明する。表示装置２１は、第１実施形態の表示装置１と比較して、１軸型の第１ミラー装置１１及び第２ミラー装置１２を用いた偏向器１０に替えて、２軸ジンバル型のミラー装置を用いて構成された偏向器２０を有している。また、駆動回路部４に替えて、偏向器２０を駆動するための駆動回路部２４を有している。
【００３７】
図６は、偏向器２０を示す。偏向器２０は、第１ミラー装置１１と同様に、ＳＯＩ基板１１０をいわゆるマイクロマシニング技術により加工して作製されたＭＥＭＳ素子である。偏向器２０は、金属膜であって入射した光線を反射するミラー部２１１と、ミラー部２１１が上面に設けられた例えば矩形形状の可動板２１２を有している。可動板２１２の両側部には、梁状で一列に並ぶように形成された２つの第１ねじりばね２１３が設けられている。可動板２１２の周囲には、可動板２１２を囲むように配され第１ねじりばね２１３の端部を支持する可動フレーム２１４が設けられている。可動フレーム２１４の両側端部には、第１ねじりばね２１３の長手方向とは略直交するように梁状で一列に並ぶように形成された２つの第２ねじりばね２１５が設けられている。可動フレーム２１４の周囲には、可動フレーム２１４を囲むように配され第２ねじりばね２１５の端部を支持する固定部２１６が形成されている。第１ねじりばね２１３は、可動板２１２の回動軸を成し、第２ねじりばね２１５は、可動フレーム２１４の回動軸を成している。第１ねじりばね２１３と第２ねじりばね２１５は、可動板２１２の回転中心となるそれぞれが成す軸が、上面視で可動板２１２の重心位置を通過するように、可動板２１２の正面すなわち後述するように光線が走査される方向から見て互いに略直交するように形成されている。第１ねじりばね２１３及び第２ねじりばね２１５の幅寸法は、例えば、それぞれ、５μｍ程度、３０μｍ程度である。この偏向器２０も、上述の第１ミラー装置１１と同様に、静電力を用いて可動板２１２を回動させるものである。可動板２１２を回動させるため、可動板２１２と可動フレーム２１４との間の第１ねじりばね２１３が形成されていない部位には第１櫛歯電極２１７が形成されており、可動フレーム２１４と固定部２１６との間の第２ねじりばね２１５が形成されていない部位には第２櫛歯電極２１８が形成されている。第１櫛歯電極２１７及び第２櫛歯電極２１８は、互いに一対に噛み合うように形成された櫛歯を有している。
【００３８】
この偏向器２０では、固定部２１６の上面に形成された例えば３つの電極部２１９のそれぞれの電位を変更することにより、第１櫛歯電極２１７を構成する一対の櫛歯間、及び第２櫛歯電極２１８を構成する一対の櫛歯間に、それぞれ独立して駆動電圧を印加することができるように構成されている。第１櫛歯電極２１７及び第２櫛歯電極２１８は、それぞれに駆動電圧が印加されることにより、櫛歯間で互いに引き合う方向に作用する静電力を発生する。可動板２１２は、第１櫛歯電極２１７の静電力を駆動力として、第１ねじりばね２１３を回動軸として可動フレーム２１４に対し揺動する。また、可動板２１２は、可動フレーム２１４が、可動板２１２を含めて、第２櫛歯電極２１８の静電力を駆動力として第２ねじりばね２１５を回動軸とし固定部２１６に対し揺動することにより、固定部２１６に対し第１ねじりばね２１３についての揺動方向とは略直交する方向に揺動する。すなわち、偏向器２０は、ミラー部２１１が形成された可動板２１２が２軸について揺動可能な、２軸ジンバル型のミラー装置を用いて構成されている。
【００３９】
駆動回路部２４は、制御回路５からの駆動信号に基づき、偏向器２０の第１櫛歯電極２１７及び第２櫛歯電極２１８にそれぞれ周期的に駆動電圧を印加し、偏向器２０を駆動する。第２実施形態においては、制御回路５は、駆動回路部２４から第１櫛歯電極２１７へ、上述の第１ねじりばね２１３と可動板２１２との系の固有振動数の２倍の周期の駆動電圧を印加させる。これにより、可動板２１２は、第１ねじりばね２１３について、当該固有振動数に等しい第１走査周波数で駆動され揺動する。また、制御回路５は、同様に、駆動回路部２４から第２櫛歯電極２１８へ、上述の第２ねじりばね２１５と可動フレーム２１４及び可動板２１２との系の固有振動数の２倍の周期の駆動電圧を印加させる。これにより、可動フレーム２１４及び可動板２１２は、第２ねじりばね２１５について、当該固有振動数に等しい第２走査周波数で駆動され揺動する。このように、本実施形態においては、偏向器２０は、２軸両方について、それぞれ共振現象を伴い揺動されるので、２軸両方について、光線を走査する際に画角を大きくすることができ、投影画像を大きく表示させることが可能になる。なお、偏向器２０の駆動方法はこれに限られず、第１走査周波数又は第２走査周波数のいずれか一方のみをそれに対応する振動系の固有振動数として、一方の軸についてのみ共振現象を伴い揺動させるようにしてもよい。また、２軸とも、共振現象を伴わない任意の周波数で揺動させるようにしてもよい。
【００４０】
第２実施形態では、このような２軸について揺動可能なジンバル型の偏向器２０を用いることにより、１つのミラー素子を用いて、光源２から出射される光線を投影面１０１上に走査することができる。第２実施形態において、第１ねじりばね２１３と、第２ねじりばね２１５とのばね定数の差や、可動板２１２と、可動板２１２を含む可動フレーム２１４との質量差から、第１走査周波数に比べて第２走査周波数が相当小さくなる。偏向器２０は、可動板２１２の第１ねじりばね２１３についての揺動により、ミラー部２１１により反射された光線を投影面１０１上で略水平方向に走査する。また、偏向器２０は、可動板２１２が可動フレーム２１４と共に第２ねじりばね２１５について揺動することにより、ミラー部２１１により反射された光線を投影面１０１上で略垂直方向に走査する。従って、表示装置２１は、投影面１０１上に光線を２次元的に走査し画像を表示することができる。このとき、制御回路５は、例えば上述の第１実施形態と同様に、第１走査周波数をｆＨとし第２走査周波数をｆＶとしたとき、ｆＨはｆＶの倍数ではなく、２×ｆＨがｆＶの倍数となるように、光源ドライバ３及び駆動回路部２４を制御する。これにより、上述と同様に、実効的な走査線の数を増加させることができ、従来と比較して解像度の高い画像を表示可能であり、且つ、製造コストを低減することができる。
【００４１】
第２実施形態では、第１実施形態のように１軸型のミラー装置を２つ組み合わせて用いる場合と比較して、偏向器２０を小型化することができる。また、ミラー部２１１の中心位置は駆動時にほとんど変位しないので、ミラー部２１１に入射させる光線の大きさを、ミラー部２１１の大きさに応じて光源２から出射されたレーザ径と同等の１ｍｍから５ｍｍ程度の直径以下に小さくすることができ、偏向器２０をさらに小さな体積にすることができる。従って、表示装置２１を小型化することができる。
【００４２】
なお、本発明は上記実施形態の構成に限定されるものではなく、発明の趣旨を変更しない範囲で適宜に種々の変形が可能である。例えば、上記第１又は第２実施形態において、第１走査周波数をｆＨ、第２走査周波数をｆＶとしたとき、ｆＨはｆＶの倍数ではなく、且つ、Ｎを２以上の自然数として、Ｎ×ｆＨがｆＶの倍数となるように各走査周波数を設定してもよい。これにより、実効的には第１走査周波数と第２走査周波数との比のＮ倍の走査線数の画像を表示することができ、表示する画像を高解像度化することができる。このとき、制御回路５は、画像データを、Ｎの値に対応する所定の手順で読み出し、偏向器１０，２０により偏向させる光線の強度を変調し、所望の画像を投影表示可能にすればよい。なお、上記第１又は第２実施形態の表示装置１，２１は、Ｎ＝２となるように各走査周波数が設定されているものと換言することができ、このとき、制御回路５は、映像変調信号の出力をＮ＝２に対応するように上述のように行っている。
【００４３】
以下に、上記の一例として、図７（ａ）乃至（ｆ）及び図８（ａ）、（ｂ）を参照し、例えば第１実施形態のような構成においてＮ＝３となるように走査周波数が設定されている表示装置の光線の走査経路の一例を具体的に説明する。説明の簡単のため、水平走査と垂直走査の走査周波数比を１０：３とし、表示画像の左上端部を始点として、光線が、表示画像の上から下へ、水平走査されながら垂直走査されるとする。まず、光線が上から下へ垂直走査される際には、光線は、図７（ａ）に示すように、下方に走査位置が変位しながら、左から右（１本目の走査線）、右から左（２本目の走査線）、左から右（３本目の走査線）と変位する。その後、光線の走査位置は、右から左に向け走査される途中の、右端から左右の幅の１／３程左側に寄った位置で、走査範囲すなわち表示画像の下端に到達する。すなわち、上から下への垂直走査時においては、３本と１／３本の走査線が、走査される光線により表示されることになる。次に、図７（ｂ）に示すように、光線が下から上へ垂直走査される際には、光線は、上から下への垂直操作時に走査範囲の下端となった部位から上方に走査位置が変位しながら、左に向けて変位する。このとき、上から下への垂直走査時に１／３だけ走査した部分を含め、４本目の走査線が走査されることになる。光線は、左から右（５本目の走査線）、右から左（６本目の走査線）と走査され、左から右に向け走査される途中の左端から２／３程右側に寄った位置で走査範囲の上端に到達し、垂直走査の方向が下方に変わる。その後、図７（ｃ）に示すように、光線は、右端部まで走査され（７本目）、右から左（８本目）、左から右（９本目）、右から左（１０本目）と走査され、左下端部に到達する。
【００４４】
このとき、制御回路５は、映像変調信号の出力を、画像データをＮ＝３の値に対応する所定の手順で読み出しシリアル化することにより行う。すなわち、制御回路５は、上述の第１の実施形態で示すようなＮ＝２の場合についての場合と同様に、マトリクス画像データを、行については垂直方向に１／２周期分の走査フレーム毎に上下交互の方向順でシリアルデータに変換する。また、列については、そのマトリクス画像データの行に応じて、当該走査フレームにおいて光線が走査される範囲の画像データを、光線の走査方向に応じた順で、シリアルデータに変換する。このように、Ｎ＝３の値に対応する所定の手順で画像データをシリアルデータ化することにより、上述のように偏向器１０，２０で走査される光線を適切に変調することができ、適正に画像を表示することができる。なお、このように映像変調信号の出力を上記Ｎの値に対応する手順に基づき行う場合には、制御回路５の当該処理による負荷が、Ｎの値が大きくなるほど大きくなる。従って、Ｎの値は、例えば９以下程度にするのが好ましい。
【００４５】
図８（ａ）は、このときの図７（ａ）乃至（ｃ）に示す走査線の経路を合成したものである。このように、Ｎ＝３の場合、垂直走査を上下に１．５往復する間に、合計１０本の走査線が、互いに重なることなく表示されるので、合計１０本の走査線数で１つの表示フレームを構成することにより、表示画像を高解像度化することができる。すなわち、Ｎ＝３の場合、第１走査周波数と第２走査周波数との比を１０：３としたときに決まる通常の走査線の数の３倍の本数の走査線で画像を表示することができ、従来と比較し、実効的に垂直方向に３倍の解像度に相当する画像を表示することができる。なお、これと同様に、その後垂直走査が１．５往復する間にも、図７（ｄ）乃至（ｆ）及び図８（ｂ）に示すように、合計１０本の走査線が互いに重なることなく表示される。すなわち、Ｎ＝３の場合、垂直走査を上下に３往復する間に、１０本の走査線で構成される表示フレームを２つ表示させ、光線が元の位置に戻ることになる。
【００４６】
なお、上記のように、本発明の説明では、説明の簡単のため、第１走査周波数と第２走査周波数の比を仮に３．５（７：２）や１０：３等として説明したが、実際はこれに限られるものではなく、種々の比の設定が可能である。この走査周波数の比は、より望ましくは、第１走査周波数と第２走査周波数との比を１０：１より大きい程度にすればよく、この比が大きいほど、垂直方向の往復で走査可能な例えば水平方向の走査線の数が増加する。それにより、実効的な走査線の数を１０×Ｎ本より多くし、さらに高解像度の画像を投影表示することができる。
【図面の簡単な説明】
【００４７】
【図１】本発明の第１実施形態に係る投影型表示装置の一例を示すブロック図。
【図２】上記投影型表示装置の第１ミラー装置を示す斜視図。
【図３】（ａ）は上記投影型表示装置の第１走査フレームの光線の走査経路を示す図、（ｂ）は同投影型表示装置の第２走査フレームの光線の走査経路を示す図、（ｃ）は（ａ）と（ｂ）とを合成して示す図、（ｄ）は同投影型表示装置の第３走査フレームの光線の走査経路を示す図、（ｅ）は同投影型表示装置の第４走査フレームの光線の走査経路を示す図、（ｆ）は（ｄ）と（ｅ）とを合成して示す図。
【図４】上記投影型表示装置の第１乃至第４走査フレームにおける映像変調信号の生成処理について示す図。
【図５】本発明の第２実施形態に係る投影型表示装置の一例を示すブロック図。
【図６】上記投影型表示装置の偏向器を示す斜視図。
【図７】（ａ）乃至（ｆ）は、本発明の第１実施形態に係る投影型表示装置の光線の走査経路の一変形例を示す図。
【図８】（ａ）は図７（ａ）乃至（ｃ）の光線の走査経路を合成して示す図、（ｂ）は図７（ｄ）乃至（ｅ）の光線の走査経路を合成して示す図。
【図９】（ａ）及び（ｂ）は従来の投影型表示装置の光線の走査経路の一例を示す図、（ｃ）は（ａ）と（ｂ）とを合成して示す図。
【符号の説明】
【００４８】
１，２１  投影型表示装置
２  光源
３  光源ドライバ
４，２４  駆動回路部
１０，２０  偏向器（ミラー装置）
５  制御回路
１１  第１ミラー装置
１２  第２ミラー装置
【図１】
2010008614.tif 000003
【図２】
2010008614.tif 000004
【図３】
2010008614.tif 000005
【図４】
2010008614.tif 000006
【図５】
2010008614.tif 000007
【図６】
2010008614.tif 000008
【図７】
2010008614.tif 000009
【図８】
2010008614.tif 000010
【図９】
2010008614.tif 000011